(57)【特許請求の範囲】
【請求項１】
軸部材と、該軸部材が回転可能に挿入される凹部を有する軸受部材とにより扉を開閉させる扉開閉構造であって、
前記軸受部材は、前記凹部の開口縁に軸受部材側鍔部を有し、
前記軸部材は、前記軸受部材側鍔部と当接し、扉の開閉に伴い、前記軸受部材側鍔部に対して摺動して回転する軸部材側鍔部を有し、
前記凹部に挿入される前記軸部材の凸部の先端と、前記軸受部材の凹部の底面とが非接触の状態で磁力により互いに吸引されることを特徴とする扉開閉構造。
【請求項２】
前記軸部材に磁石または磁性体が設けられ、前記軸部材に磁石が設けられる場合は、前記軸受部材には、前記軸部材と吸引しあう磁石または磁性体が設けられてなることを特徴とする請求項１記載の扉開閉構造。
【請求項３】
前記軸部材に磁石または磁性体が設けられ、前記軸部材に磁性体が設けられる場合は、前記軸受部材には、前記磁性体と吸引しあう磁石が設けられてなることを特徴とする請求項１記載の扉開閉構造。
【請求項４】
前記軸部材が扉の下端面に設けられ、前記軸受部材が扉の取付け対象体に設けられることを特徴とする請求項１〜３のいずれかに記載の扉開閉構造。
【請求項５】
前記軸部材が、扉の下端面に形成された取付穴に埋設されると共に前記軸部材を外側から保護する軸部材側ハウジングを備え、該軸部材側ハウジングが、軸部材の先端が突出するように磁石または磁性体を収容する軸部材側収容凹部と、前記軸部材側鍔部とを備え、前記軸受部材が、扉の取付け対象体に形成された取付穴に埋設されると共に前記軸受部材を外側から保護する軸受部材側ハウジングを備え、該軸受部材側ハウジングが、前記軸受部材の磁石または磁性体を収容する軸受部材側収容凹部と、前記軸受部材側鍔部とを備え
ることを特徴とする請求項２〜４のいずれかに記載の扉開閉構造。
【請求項６】
前記軸部材側鍔部と前記軸受部材側鍔部との間に、摺動具合を調整するための介装部材が設けられている請求項１〜５のいずれかに記載の扉開閉構造。
【発明の詳細な説明】
【技術分野】
【０００１】
本発明は、扉開閉構造に関し、より詳しくは、建造物や家具、置物などに取り付けられた回動自在に開閉する扉開閉構造に関する。
【背景技術】
【０００２】
扉開閉構造としては、例えば、特許文献１に開示された扉開閉構造が知られている。この扉開閉構造は、互いに対向する扉側に固定された軸部材と扉の取付け対象体に固定された軸部材において、２つの軸部材の一方を磁石とし、他方を磁性体または磁石と吸引しあう磁石にして、２つの軸部材の端面同士を接触させて、磁石の吸引力で扉の取付け対象体に対する扉の容易な取り外しを可能にした扉開閉構造である。
【先行技術文献】
【特許文献】
【０００３】
【特許文献１】特許第４８４６０４６号公報
【発明の概要】
【発明が解決しようとする課題】
【０００４】
特許文献１に記載の扉開閉構造の場合、２つの軸部材が磁石の吸引力で互いに接触し、扉の取付け対象体からの取り外しが可能である点で優れているが、磁石同士が接触しているため、場合によっては互いにこすれあって、磁石の表面や磁性体の表面に削れや破損が生じるおそれがあった。
【０００５】
また、特許文献１の扉開閉構造は、扉の取り外しを容易にしたものであるが、扉の開閉時に、扉を扉の取り付け対象体から外れにくくしたい場合がある。この場合、公知の構造として、図９の、箱状の家具Ｆの扉開閉構造の概略説明図に示すような、扉１０１の上端面１０１ａおよび下端面１０１ｂに設けられた軸部材１０２ａ、１０２ｂを、扉１０１の取付け対象体である天板１０３および地板１０４にそれぞれ形成した差込み凹部（天板差込み凹部１０５ａ、地板差込み凹部１０５ｂ）に深く差し込むことにより、扉１０１を取り付け対象体である天板１０３や地板１０４に取り付けるものがある。
【０００６】
しかし、このような構成であると、扉１０１の取り外し時に、扉１０１の下端面１０１ｂに設けた軸部材１０２ｂが地板１０４の地板差込み凹部１０５ｂに嵌り込む深さＬ１と同じ長さＬ４分だけ、扉１０１を図７中に二点鎖線で示した状態まで上方にずらすことで、軸部材１０２ｂを地板１０４に対して上方向にずらして、軸部材１０２ｂの先端が地板１０４の上端面１０４ａよりも上方になるようにした後に、取り外さなければならならない。そのため、扉１０１の上端面１０１ａと天板１０３の下端面１０３ａとの間に、Ｌ４と同じか、またはそれ以上の上下方向寸法Ｌ３を有する隙間ＣＬ１を確保しなければならない。また、天板差込み凹部１０５ａに扉１０１の上端面１０１ａの軸部材１０２ａが差し込まれた状態で、軸部材１０２ａが上方に移動できなければならない。したがって、天板差込み凹部１０５ａの底面１１５と軸部材１０２ａの先端との間に、扉１０１を上方にずらす長さ（Ｌ１、Ｌ４）と同じか、またはそれ以上の上下方向寸法Ｌ２を有する差込み凹部側の隙間ＣＬ２を確保しなければならない。そのため、従来の構造では、扉の天板１０３と扉の上端面１０１ａとの間に、大きな隙間が開いてしまったり、扉の天板１０３を厚くしなければならないという問題がある。
【０００７】
一方で、軸部材１０２ａ、１０２ｂの長さを短くすれば、隙間ＣＬ１や差込み凹部側の隙間ＣＬ２は小さくできるが、軸部材１０２ａ、１０２ｂの天板差込み凹部１０５ａや地板差込み凹部１０５ｂへの嵌まり込む寸法も小さくなるため、軸部材１０２ａ、１０２ｂが天板差込み凹部１０５ａや地板差込み凹部１０５ｂから外れやすくなってしまう。
【０００８】
本発明は上記の事情に鑑みてなされたものであり、軸回りに回転する扉を、磁力により安定して停止させること、磁力を発生させるために磁石や磁性体を使用した場合に、磁石同士や磁石と磁性体との間で摩擦が生じて、磁石表面や磁性体表面が摩擦により削れたり破損したりするのを防止すること、扉を磁力により外れにくくすることができる扉の開閉構造を提供することを目的とする。また、扉の取り付け対象体に嵌まり込む軸部材の長さを短くしたとしても、扉を外れにくくすることが可能である扉開閉構造を提供することを目的とする。
【課題を解決するための手段】
【０００９】
本発明の扉開閉構造は、軸部材と、該軸部材が回転可能に挿入される凹部を有する軸受部材とにより扉を開閉させる扉開閉構造であって、前記軸受部材は、前記凹部の開口縁に軸受部材側鍔部を有し、前記軸部材は、前記軸受部材側鍔部と当接し、扉の開閉に伴い、前記軸受部材側鍔部に対して摺動して回転する軸部材側鍔部を有し、前記凹部に挿入される前記軸部材の凸部の先端と、前記軸受部材の凹部の底面とが非接触の状態で磁力により互いに吸引されることを特徴とする。
【００１０】
また、本発明の扉開閉構造は、前記軸部材に磁石または磁性体が設けられ、前記軸部材に磁石が設けられる場合は、前記軸受部材には、前記軸部材と吸引しあう磁石または磁性体が設けられてなるのが好ましい。
【００１１】
また、本発明の扉開閉構造は、前記軸部材に磁石または磁性体が設けられ、前記軸部材に磁性体が設けられる場合は、前記軸受部材には、前記磁性体と吸引しあう磁石が設けられてなるのが好ましい。
【００１２】
また、本発明の扉開閉構造は、前記軸部材が扉の下端面に設けられ、前記軸受部材が扉の取付け対象体に設けられるのが好ましい。
【００１３】
また、本発明の扉開閉構造は、前記軸部材が、扉の下端面に形成された取付穴に埋設される軸部材側ハウジングを備え、該軸部材側ハウジングが、軸部材の先端が突出するように前記磁石または磁性体を収容する軸部材側収容凹部と、前記軸部材側鍔部とを備え、前記軸受部材が、扉の取付け対象体に形成された取付穴に埋設されると共に前記軸受部材を外側から保護する軸受部材側ハウジングを備え、該軸受部材側ハウジングが、前記軸受部材の磁石または磁性体を収容する軸受部材側収容凹部と、前記軸受部材側鍔部とを備えるのが好ましい。
【００１４】
また、本発明の扉開閉構造は、前記軸部材側鍔部と前記軸受部材側鍔部との間に、摺動具合を調整するための介装部材が配設されているのが好ましい。
【発明の効果】
【００１５】
以上のように、本発明の扉開閉構造は、軸受部材の凹部に挿入される軸部材の凸部の先端と、軸受部材の凹部の底面とを非接触の状態で磁力により互いに吸引させるため、たとえば扉が閉まった状態など、所定の位置で安定して扉を停止することができる。また、軸部材側鍔部と軸受部材側鍔部とにより、凹部に挿入される軸部材の先端と、軸受部材の凹部の底面とが非接触の状態となるため、磁石同士や磁石と磁性体との間で摩擦が生じることがなく、磁石表面や磁性体表面が摩擦により削れたり破損したりするのを防止できる。また、削れカスなどによる軸部の故障を防止できる。
【００１６】
また、磁力により扉の軸部材と、軸受部材の凹部とが吸引されるので、凹部に嵌まり込む磁石または磁性体の突出部が嵌まり込む深さを浅くしても、扉を外れにくくすることができる。また、扉を外れにくくしつつ、軸部材が軸受部材の凹部に嵌まり込む深さを浅くできるので、扉を外すときに必要な扉上部側の、扉と取付け対象体側との間の隙間を狭くすることができる。
【図面の簡単な説明】
【００１７】
【図１】本発明の第１の実施形態による家具の概略斜視図である。
【図２】図１の家具が備える扉開閉構造の軸部材側を示す概略図であり、扉、および軸部材の図中左側は断面図として示し、軸部材の図中右側は正面図として示す。
【図３】図１の家具が備える扉開閉構造の軸受部材側の概略図であり、底板、および軸受部材の図中左側は断面図として示し、軸受部材の図中右側は正面図として示す。
【図４】図１の家具が備える扉開閉構造の概略図であり、扉、底板、軸部材および軸受部材の図中左側は断面図として示し、軸部材および軸受部材の図中右側は正面図として示す。
【図５】本発明の第２の実施形態にかかる家具を示す概略斜視図である。
【図６】図５の家具が備える扉開閉構造の概略図であり、軸部材側ハウジングおよび軸受部材側ハウジングは正面図として示し、他の部材は断面図として示す。
【図７】本発明の第３の実施形態にかかる扉開閉構造の組立て方法を説明する概略図であり、扉、底板、軸部材および軸受部材の図中左側は断面図として示し、軸部材および軸受部材の図中右側は正面図として示す。
【図８】本発明の第３の実施形態にかかる扉開閉構造を示す概略図であり、扉、底板、軸部材および軸受部材の図中左側は断面図として示し、軸部材および軸受部材の図中右側は正面図として示す。
【図９】従来の扉開閉構造において扉を取り外す動作を説明する概略図である。
【発明を実施するための形態】
【００１８】
以下に、本発明の実施の形態について、図１〜図８を参照して説明する。
【００１９】
図１に本発明の扉開閉構造を備えた第１の実施形態にかかる家具を示す。なお、以下の実施形態においては、家具を例示して説明するが、本発明の扉開閉構造を備えたものであれば、取り付ける対象は家具に限定されることはなく、箱、建物、あるいは電子機器等、扉を備えたあらゆる扉取り付け対象体に適用が可能である。図１に示すように、家具Ｆ１は、天板３と地板４を有し、三方が背面板５と２つの側板６で覆われ、前面が開口した箱形状の木製の構造体である。開口した前面には、開口を観音開き式に開閉する左右一対の扉１ａ、１ｂが取り付けられている。
【００２０】
扉１ａ、１ｂは、木製で縦長の略長方形板状体に成形されており、一端が図中点線で示すように、扉開閉構造Ｓ１、Ｓ２を介して家具Ｆ１の天板３と地板４に回動自在に取り付けられている。家具Ｆ１は、木製に限らず、合成樹脂製、アルミニウム製等の非磁性体材料等とすることができるが、本発明の目的を逸脱しない範囲で、家具Ｆ１の材料は特に限定されない。以下、扉開閉構造について、扉１ａ、１ｂと地板４との間に設けた扉開閉構造をＳ１とし、扉１ａ、１ｂと天板３との間に設けた扉開閉構造をＳ２とし、扉１ａと地板４との間に設けられた扉開閉構造Ｓ１を例に挙げて図２〜図４を参照して詳説する。
【００２１】
扉開閉構造Ｓ１は、扉１ａに設けられた図２に示す軸部材１１と、この軸部材１１が回転可能に挿入される凹部２７（図３参照）を有し、地板４に設けられた図３に示す軸受部材２１とにより扉１ａを開閉させるものであり、地板４に設けられた軸受部材２１側の凹部２７（図３参照）に、図２に示す軸部材１１の凸部（図２に参照符号１６で示す磁石）の先端を挿入することにより扉１ａが取り付けられる。なお、図２〜図４において、扉１ａ、底板４、軸部材１１および軸受部材２１の図中左側は断面図として示し、軸部材１１および軸受部材２１の図中右側は正面図として示している。
【００２２】
軸部材１１は、図２に示すように、扉１ａの下端面１２側に開口する凹状の取付穴３１が形成されている。この取付穴３１に軸部材１１が直接、または間接に埋設される。本実施の形態では、軸部材１１は、後述する軸部材側ハウジング１３を介して取付穴３１に埋設されているが、軸部材１１を直接取付穴３１に埋設してもよい。この埋設手段としては、嵌合、ピン、ネジ、接着剤等の周知の技術を採用できる。なお、軸部材１１は、本実施形態のように、扉１ａの下端面１２の取付穴３１に埋設するものに限られず、扉１ａの下端面１２から下側に突出するものであれば特に限定されるものではない。例えば、軸部材１１は、取付穴３１が設けられていない扉１ａの下端面１２に扉１ａと一体或いは別体として突出させたものであってもよい。
【００２３】
本実施形態では、軸部材１１は、扉１ａの下端面１２に形成された取付穴３１に埋設されると共に軸部材１１を外側から保護する軸部材側ハウジング１３を備えている。軸部材側ハウジング１３は、軸部材１１の先端が扉１ａの下端面１２から突出するように磁石または磁性体（軸部材１１の凸部）を収容する軸部材側収容凹部１４と、扉１ａの下端面１２上で、取付穴３１の周縁に係合すると共に、図４に示すように、後述する軸受部材側鍔部２５と当接する軸部材側鍔部１５とを有する。軸部材側鍔部１５は、扉１ａの開閉に伴い、軸受部材側鍔部２５に対して摺動して回転する。図２に示すように、軸部材側収容凹部１４には、磁石または磁性体が嵌め込みにより設けられている（本実施形態では磁石１６）。
【００２４】
軸部材側ハウジング１３は、図２に示すように、磁石１６が突出する開口部の外周縁に軸部材側鍔部１５を有した、有底の略円筒状の部材である。なお、ここでいう「有底」とは、少なくとも部分的に底を有していればよく、孔や切り欠きが形成されたものも含む。軸部材側収容凹部１４は、挿入される磁石１６とほぼ同径かそれよりもわずかに大きく形成されている。軸部材側ハウジング１３の外周側面は、図２に示すように軸部材側ハウジング１３の軸方向（図２中、上下方向）に複数の段部１３ａを有している。段部１３ａはそれぞれ、軸部材側ハウジング１３の先端側（図２中、上の端部）に向かって縮径するようにテーパ状に形成されている。この段部１３ａを設けることにより、軸部材側ハウジング１３を挿入するときは、軸部材側ハウジング１３を取付穴３１に押し込むことにより、段部１３ａが取付穴３１の内壁と当接して、わずかに変形するため、挿入しやすくなっており、逆に軸部材側ハウジング１３の取り付け後は、段部１３ａが返しとなることによって、軸部材側ハウジング１３が外れにくくなっている。
【００２５】
軸部材側鍔部１５は、軸部材側ハウジング１３の開口部の外周縁から、軸部材側ハウジング１３の軸方向に対して略垂直方向外側に突出した部位である。軸部材側鍔部１５は、円環状であってもよいし、矩形枠状に形成されていてもよい。なお、図２では、軸部材側鍔部１５は軸部材側ハウジング１３から一体的に延びたものを示しているが、軸部材側鍔部１５は、軸部材側ハウジング１３と一体である必要はなく、別体であってもよい。例えば、ワッシャのような、円環状の軸部材側鍔部１５を、扉１ａの下端面１２の取付穴３１における開口縁に軸部材側ハウジング１３とは別部材として設けるようにすることもできる。なお、本実施形態では、軸部材１１は、軸部材側ハウジング１３を有したものを示しているが、後述するように、軸部材１１の凸部（磁石１６）の先端と、軸部材１１の凸部（磁石１６）の先端が挿入される軸受部材２１の凹部２７の底面２６ａ（図３参照）とを非接触の状態で保持し、磁力により互いに吸引させることができるのであれば、軸部材側ハウジング１３は必ずしも必要ではない。
【００２６】
次に、軸受部材２１について、図３を参照して説明する。軸受部材２１は、扉１ａの取付け対象体である地板４の上端面２２で開口する凹状の取付穴４１に埋設されている。埋設手段としては、軸部材１１と同様、嵌合、ピン、ネジ、接着剤等の周知の技術を採用できる。
【００２７】
本実施形態では、軸受部材２１は、地板４の表面に形成された取付穴４１に埋設されると共に軸受部材２１を外側から保護する軸受部材側ハウジング２３を備えている。軸受部材側ハウジング２３は、地板４の上端面２２側で開口し、磁石または磁性体を収容する軸受部材側収容凹部２４と、軸受部材側収容凹部２４に嵌めこまれて設けられ、軸部材１１の磁石１６と吸引しあうように異なる極性が向かい合うように配置された磁石または磁石１６に吸引される磁性体（本実施形態では磁石２６）とを備える。軸受部材２１には、磁石２６を軸受部材側収容凹部２４内に取り付けた後、軸部材１１の先端部を挿入するための凹部２７が形成されている。したがって、磁石２６の上端面２６ａは、軸受部材２１の上端面（ここでは、軸受部材側ハウジング２３の上端面２３ｂ）から突出せず、磁石の上端面２６ａと軸受部材２１の上端面との間に空間が形成されるように、磁石２６を設けるようにしている。軸受部材側ハウジング２３に磁石を取り付けた後は、軸受部材側ハウジング２３の内壁と磁石２６の上端面２６ａとで凹部２７が形成され、磁石２６の上端面２６ａが、軸受部材２１の凹部２７の底面をなしている（以下、磁石２６の上端面２６ａを「凹部２７の底面２６ａ」とする）。凹部２７の開口縁には、軸受部材側ハウジング２３から軸受部材側ハウジング２３の軸方向に対して略垂直方向外側に突出した軸受部材側鍔部２５を有する。軸受部材側鍔部２５は、地板４の取付穴４１の開口縁と係合し、図４に示すように、軸部材側鍔部１５と当接し、扉１ａの開閉に伴い、軸部材側鍔部１５に対して摺動して回転する。なお、軸部材１１の軸部材側収容凹部１４に収容する磁石１６を磁性体に代えた場合、軸受部材２１の軸受部材側収容凹部２４に収容するのは、磁石にする必要がある。
【００２８】
軸受部材側ハウジング２３は、図３に示すように、上方に開口した開口部の外周縁に軸受部材側鍔部２５を有した、有底の略円筒状の部材である。軸受部材側収容凹部２４は、挿入される磁石２６とほぼ同径かそれよりもわずかに大きく形成されている。軸受部材側ハウジング２３の外周側面は、図２に示す軸部材側ハウジング１３と同様に、軸受部材側ハウジング２３の軸方向（図３中、上下方向）に複数の段部２３ａを有している。この複数の段部２３ａにより、軸受部材側ハウジング２３の取り付けが容易で、軸受部材側ハウジング２３が外れにくくなる。
【００２９】
軸受部材側鍔部２５は、軸部材側鍔部１５と同様の形状をしていればよいが、異なる形状、大きさとしてもよい。なお、図３では、軸受部材側鍔部２５は軸受部材側ハウジング２３から一体的に延びたものを示しているが、軸受部材側鍔部２５は、軸受部材側ハウジング２３と一体である必要はなく、別体であってもよい。なお、本実施形態では、軸受部材２１は、軸受部材側ハウジング２３を有したものを示しているが、軸部材１１の先端と、軸部材１１が挿入される軸受部材２１の凹部２７の底面２６ａ（図３参照）とを非接触の状態で保持し、磁力により互いに吸引させることができるのであれば、軸受部材側ハウジング２３は必ずしも必要ではない。ここで、「凹部」は、本実施形態では、軸受部材側ハウジング２３の内壁と磁石２６の上端面２６ａとで構成しているが、軸部材１１を回転可能に収容できれば特に限定されない。たとえば、軸受部材側ハウジング２３を用いずに、地板４の取付穴４１に直接磁石または磁性体を入れたあとの空間を凹部２７としてもよい。
【００３０】
以上の構成により、本実施形態の扉開閉構造Ｓ１は、図４に示すように、軸部材側鍔部１５と軸受部材側鍔部２５とを当接させ、かつ、扉１ａの開閉に伴い、軸部材側鍔部１５が軸受部材側鍔部２５に対して摺動して回転するようにしている。また、図２および図３に示すように、軸部材１１の先端（図２では、磁石１６の先端）が、軸部材側鍔部１５の端面から突出する長さＨ１は、凹部２７の深さＨ２（図２では、軸受部材側鍔部２５の端面２５ａから、軸受部材２１の凹部２７の底面２６ａまでの長さ）よりも短くされている。そのため、図４に示すように、軸部材１１の磁石１６（凸部）の先端と軸受部材２１の凹部２７の底面２６ａとの間に空間Ｐが形成され、軸部材１１の先端面１６ａ（軸部材１１の磁石１６の先端面）と軸受部材２１の凹部２７の底面２６ａ（軸受部材２１の磁石２６の上端面）とを、非接触の状態で、磁力により互いに吸引された状態になっている。
【００３１】
このように、軸受部材２１の凹部２７に挿入される軸部材１１の先端と軸受部材２１の凹部２７の底面２６ａとを、空間Ｐにより、非接触の状態で磁力により互いに吸引された状態としているため、図４に示すように、軸部材１１の磁石１６の先端面（軸部材１１の磁石１６の先端面１６ａ）や、軸受部材の磁石２６の上端面（凹部２７の底面２６ａ）には、摩擦による削れ等が生じることがない。また、磁石１６、２６の削れカスなどによる軸部（扉開閉構造Ｓ１）の故障を防止できる。なお、空間Ｐの間隔Ｈ３は、磁石１６、２６の磁力が互いに及ぶ程度の間隔で特に限定されないが、磁力による吸着力を強めるために短い方がよく、０より大きく１．０ｍｍ以下であることが好ましい。
【００３２】
また、軸部材１１の磁石１６は、軸受部材２１の凹部２７（図３を参照）に挿入された状態で、軸受部材２１の軸受部材側収容凹部２４に設けた磁石２６により吸引される。したがって、磁石を用いない単なる軸部材と軸受部材を用いた場合と比較して、磁石同士の吸着力により、回転する扉１ａ、１ｂの位置をその場で保持しようとする力が強くなる。したがって、家具Ｆ１などが傾いた場所などに設けられた場合、磁石を用いない単なる軸部材と軸受部材を用いた扉開閉構造の場合は、扉が傾いた方向に動いてしまう場合があるが、本発明によれば、扉１ａ、１ｂが閉まった状態で安定して扉１ａ、１ｂを停止させることができる。
【００３３】
また、軸部材１１の軸部材側収容凹部１４（図２を参照）に設けた磁石１６と軸受部材２１の軸受部材側収容凹部２４の凹部２７（図３を参照）に設けた磁石２６との間で生じる磁力、および、軸部材１１の磁石１６の先端（軸部材１１の凸部の先端）を軸受部材２１の凹部２７に挿入する構成により、軸部材１１に加わる横方向の力は、軸部材１１が凹部２７に挿入されていることにより、扉１ａが外れることを防止することができるとともに、扉１ａに上下方向に加わる力については、軸部材１１と軸受部材２１との間に働く磁力による吸着力によって、扉１ａが外れることを防止することができる。
【００３４】
さらに、軸部材１１の軸部材側収容凹部１４に設けた磁石１６と軸受部材２１の軸受部材側収容凹部２４に設けた磁石２６との間で生じる磁力により軸部材１１が外れにくくなっているため、軸部材１１が、軸受部材２１の凹部２７に嵌まり込む深さ（図２、図４のＨ１参照）を、磁石を用いない従来の扉開閉構造（図７を参照）よりも浅くすることができる。そのため、扉１ａを外すときに必要な、扉１ａと取付け対象体である天板３（図１参照）の間の隙間の上下方向寸法を、従来の磁石を用いない扉開閉構造で必要な寸法（図７でいう上下方向寸法Ｌ３の隙間）に比べて狭くすることができる。したがって、扉１ａと天板３との間に、美観を損なう不必要な隙間が開くことがなく、家具等の外観を良くすることができる。
【００３５】
なお、扉１ｂの構成は、扉１ａの構成と同じなので、詳細な説明は省略する。
【００３６】
次に図５、および、図５のＸ−Ｘ線断面図である図６を参照して、本発明の扉開閉構造を備えた第２の実施形態にかかる家具を示す。本実施形態は、扉１ａ、１ｂの取付け方法以外は基本的な構成は図１〜図４に示す第１の実施形態と同じであるため、図１に示す第１の実施形態と同じ部位、機能、形態については同じ符号を付して説明を省略し、以下では、図１に第１の実施形態と相違する点についてのみ説明する。
【００３７】
図５および図６に示すように、第２の実施形態にかかる家具Ｆ２は、家具Ｆ２の側板６の開口側端面６ａの上下方向中央部位に切欠き凹部５０を有し、この切欠き凹部５０に、扉１ａの固定端面６１に形成された取付け凸部６２が挿入されている。また、図６に示すように、扉１ａの取付け凸部６２の上端面６２ａには、この上端面６２ａから上側へ突出するピン部材１３２が取付け凸部６２と別体で設けられており、ピン部材１３２の一端は取付け凸部６２の上端面６２ａに埋設されている（ピン部材１３２と取付け凸部６２は一体にしてもよい）。また、取付け凸部６２の下端面６２ｂには、取付穴１３１が形成されており、この取付穴１３１に、図２に示す軸部材１１が設けられている。また、家具Ｆ２の側板６の切欠き凹部５０の上壁面５０ａと下壁面５０ｂに取付穴１４１ａ、１４１ｂが形成されており、取付穴１４１ａには有底円筒状のハウジング３３が嵌めこまれている。このハウジング３３の内部へピン部材１３２の他端が嵌めこまれている。取付穴１４１ｂには、図３に示す軸受部材２１が設けられている。つまり、扉１ａの取付け凸部６２の下端面６２ｂと側板６の切欠き凹部５０の下壁面５０ｂとの間に図１および図２に示したような扉開閉構造Ｓ１が形成されている。なお、切欠き凹部５０と取付け凸部６２の上下方向寸法の関係は、扉１ａを取り付け、取り外しできるものであれば、特に限定されない。
【００３８】
このような構成においても、扉開閉構造Ｓ１、Ｓ２は、図１に示す第１の実施形態の場合と同じ作用および効果を奏する。
【００３９】
図１に示す第１の実施形態、および図５に示す第２の実施形態にかかる扉開閉構造は、図７および図８に示す第３の実施形態にかかる扉開閉構造で代用することが可能である。本実施形態では、図７に示すように、軸部材側鍔部１５と軸受部材側鍔部２５との間に、扉の開閉のスムーズさを調整するために、環状の介装部材Ｒを配設している。この介装部材Ｒの高さＨ４は、軸部材１１の軸部材側ハウジング１３から突出させた磁石１６の長さＨ１よりも短くなるように構成されている。環状の介装部材Ｒには、軸部材１１の先端が挿通できるように、中央に貫通孔が形成されている。
【００４０】
次に、介装部材Ｒを配設する方法について説明する。図７に示すように、まず軸部材側ハウジング１３から突出させた磁石１６の先端を介装部材Ｒの一端側から挿入する。ここで、介装部材Ｒの高さＨ４を軸部材１１の軸部材側ハウジング１３から突出させた磁石１６の長さＨ１よりも短くすることから、介装部材Ｒの他端側から磁石１６の先端を突出させることができる。この突出部分を軸受部材１１の凹部２７に嵌合することにより、軸部材側鍔部１５と軸受部材側鍔部２５との間への介装部材Ｒの配設を完了させることができる。なお、軸部材側鍔部１５と軸受部材側鍔部２５との間に介装部材Ｒを配設した状態を示したのが図８である。
【００４１】
本実施形態では、介装部材Ｒにより、軸部材側鍔部１５と軸受部材側鍔部２５との摺動具合を調整することができる。例えば、軸部材側鍔部１５と軸受部材側鍔部２５とが過剰に摺動（滑り）するのを防止して、扉１ａ（図１、図５を参照）を任意の開放位置で保持するのを容易にしたい場合、軸部材側鍔部１５を含んだ軸部材側ハウジング１３および軸受部材側鍔部２５を含んだ軸受部材側ハウジング２３をナイロン、たとえばナイロン６やナイロン６，６で成形し、介装部材Ｒをエラストマーなどの弾性材料で成形することにより可能である。一方、軸部材側鍔部１５と軸受部材側鍔部２５との間の摺動を円滑にしたい場合は、介装部材Ｒにおいて、軸部材側鍔部１５および軸受部材側鍔部２５と対向する面に、滑りを良くするための材料、たとえばニッケルなどの鍍金、テフロン（登録商標）コーティングなどの合成樹脂からなる塗膜、ジュラコン（登録商標）などの硬質の合成樹脂やゴムからなるシート部材、木製の板状体、合成樹脂がコーティングされた紙、潤滑油などを設けることで可能である。なお、図１〜４に示す第１の実施形態、および図５〜６に示す第２の実施形態においても、上述のような摺動具合を調整するための材料を軸部材側鍔部１５の軸受部材側鍔部２５と当接する面、あるいは、軸受部材側鍔部２５の軸部材側鍔部１５と当接する面に設けてもよい。この場合、摺動具合を調整するための材料の厚さは、軸部材および軸受部材の吸引力を大幅に低下しない程度であれば良く、できるだけ薄い方が良く、２ｍｍ以下であるのが好ましい。また、シート部材や木製の板状体、コーティングされた紙は接着剤によって軸部材あるいは軸受部材に固定することができる。
【００４２】
これまでに本発明の実施形態について説明したが、ここで挙げた実施形態はあくまで例示であり、特許請求の範囲を逸脱しない範囲内で種々の変更が可能である。
【００４３】
軸部材側収容凹部１４や軸受部材側収容凹部２４に磁石１６や磁石２６を嵌め込む方法は特に限定されず、接着剤等、周知の固着手段を採用することができ、例えば、軸部材側収容凹部１４あるいは軸受部材側収容凹部２４に接着剤を注入した上で、軸部材側収容凹部１４あるいは軸受部材側収容凹部２４に磁石１６あるいは磁石２６を圧入することで嵌め込むことが可能である。また、磁石１６あるいは磁石２６は、フェライト磁石や、ネオジム系、サマリウム系の希土類磁石など、特に磁石の種類は限定されないが、扉１ａを外れにくくするために、磁力の強い希土類磁石等の永久磁石を使用することが好ましい。
【００４４】
また、本発明にかかる扉開閉構造を設ける場所は、ここで挙げた実施形態に限られることはなく、扉と、扉の取付け対象体との種々の取付け部に設けることができ、本発明にかかる扉開閉構造を設ける数も特に限定されることはない。
【００４５】
また、ここで挙げた実施形態では、扉を扉の取付け対象体に吸引させる方法としては、磁石のみあるいは磁性体のみからなる部材を使用しているが、磁石あるいは磁性体を含む部材であってもよい。このような部材としては、例えば、磁石や磁性体を粒子状にして混合した合成樹脂からなる成形物が挙げられる。
【００４６】
また、ここで挙げた実施形態では、軸部材側、軸受部材側の両方に磁石を用いたものを示したが、一方を磁石とすれば、他方を磁性体とすることにより、上記実施形態と同様の効果が得られる。磁性体としては、鉄、コバルト、ニッケルの他、マルテンサイト系ステンレス鋼などの強磁性体を用いることができる。また、軸部材および軸受部材は、磁石のみまたは磁性体のみを収容したものに限定されず、軸部材および／または軸受部材自体が、磁石や磁性体を含む部材であっても良い。そのような部材として、たとえば磁石や磁性体を粒子状にして混合した合成樹脂からなる成形物があげられる。
【００４７】
また、ここで挙げた実施形態では、扉と固定された家具の板（天板、側板、地板）との固定部分に本発明の扉開閉構造を適用することを例示しているが、これに限られることはなく、扉同士の取り付け部分にも本発明の扉開閉構造を適用することもできる。
【００４８】
また、ここで挙げた実施形態では、扉が２枚の家具を例示しているが、扉の枚数は２枚に限定されず、３枚以上、あるいは１枚であってもよく、素材は、木製に限られず、非磁性体材料からなるものであれば良く、例えば、合成樹脂やアルミニウムを採用できる。また、扉の開閉については、観音開きに限られず、部分的な開閉や半開き状態も含む。
【００４９】
また、ここで挙げた実施形態では、軸部材と軸受部材の軸心が垂直方向（図１、図５、図６の上下方向）に伸び、軸部材が軸受部材に垂直方向に挿入される実施形態を例示しているが、軸部材と軸受部材の軸心が水平方向（左右方向）に伸び、軸部材が軸受部材に水平方向に挿入される場合においても本発明を適用することができる。
【００５０】
さらに、本発明の扉開閉構造は、蝶番の軸受部分にも採用することができる。また、軸部材を設ける方法についても、本実施形態では、扉の端面に形成した軸部材側収容凹部に埋設するようにしているが、埋設する方法に限られず、扉の端面から突出させて外付けにすることもできる。
【００５１】
また、図１〜図４に示す第１の実施形態では、扉１ａの下端面１２に図２に示す軸部材１１を設け、扉１ａの取付け対象である地板４に図３に示す軸受部材２１を設けているが、この態様に限られることはなく、扉１ａの下端面１２に図３に示す軸受部材２１を設け、地板４に図２に示す軸部材１１を設けるようにしてもよい。
【００５２】
また、図５〜図６に示す第２の実施形態では、扉１ａの取付け凸部６２の下端面６２ｂに図２に示す軸部材１１を設け、家具Ｆ２の側板６の切欠き凹部５０の下壁面５０ｂに図３に示す軸受部材２１を設けているが、扉１ａの取付け凸部６２の下端面６２ｂに図３に示す軸受部材２１を設け、家具Ｆ２の側板６の切欠き凹部５０の下壁面５０ｂに図２に示す軸部材１１を設けるようにしてもよい。
【００５３】
また、図６に示す第２の実施形態では、扉１ａの固定端面６１の取付け凸部６２と家具Ｆ２の側板６の開口側端面６ａに形成する切欠き凹部５０をそれぞれ１つとしているが、扉１ａの固定端面６１における上下方向の複数個所に取付け凸部を設け、家具Ｆ２の側板６の開口側端面６ａにおける上下方向の複数箇所に切欠き凹部を形成し、各取付け凸部を各切欠き凹部に挿入するようにすることができる。この場合、各取付け凸部の下端面に図２に示す軸部材１１を設け、各切欠き凹部の下壁面に図３に示す軸受部材２１を設けることが可能である。あるいは、各取付け凸部の下端面に図３に示す軸受部材２１を設け、各切欠き凹部の下壁面に図２に示す軸部材１１を設けることもできる。
【符号の説明】
【００５４】
Ｆ１、Ｆ２  家具
１ａ、１ｂ  扉
３  天板
４  地板
５  背面板
６  側板
６ａ  側板６の開口側端面
Ｓ１、Ｓ２  扉開閉構造
１１  軸部材
１２  扉１ａの下端面
３１、４１、１３１、１４１ａ、１４１ｂ  取付穴
１３  軸部材側ハウジング
１３ａ  軸部材側ハウジングの段部
１４  軸部材側収容凹部
１５  軸部材側鍔部
１６、２６  磁石
１６ａ  軸部材１１（凸部）の先端面
２１  軸受部材
２２  地板４の上端面
２３  軸受部材側ハウジング
２３ａ  軸受部材側ハウジング２３の段部
２３ｂ  軸受部材側ハウジング２３の上端面
２４  軸受部材側収容凹部
２５  軸受部材側鍔部
２５ａ  軸受部材側鍔部２５の端面
２６  磁石
２６ａ  凹部２７の底面（磁石２６の上端面）
２７  凹部
５０  切欠き凹部
５０ａ  切欠き凹部５０の上壁面
５０ｂ  切欠き凹部５０の下壁面
６１  扉１ａの固定端面
６２  取付け凸部
６２ａ  凸部６２の上端面
６２ｂ  凸部６２の下端面
１３２  ピン部材
Ｐ  空間
Ｒ  介装部材
【図１】
0005793462.tif 000002
【図２】
0005793462.tif 000003
【図３】
0005793462.tif 000004
【図４】
0005793462.tif 000005
【図５】
0005793462.tif 000006
【図６】
0005793462.tif 000007
【図７】
0005793462.tif 000008
【図８】
0005793462.tif 000009
【図９】
0005793462.tif 000010